(57)【要約】【課題】  ユーザが頻繁に使用する機能を少ない操作回数で選択できるようにするカスタマイズ機能を備えた表示制御装置を提供する。【解決手段】  階層的に設けられた複数の設定画面のうち第１層の基本設定画面１１０ａには、第２層以降の設定画面から選択された機能選択ボタン１５０ａ，１５０ｂ，１５０ｃが配置される。「ミックスサイズ原稿送り」で示す機能選択ボタン１５０ｃは、トグルスイッチのようになっており、一度押すと１５０ｃ’に示すように選択されたことを示すために白黒反転表示となり、再度押すと元の非選択状態に戻る。【選択図】      図２
2005195816.tif 000002
【特許請求の範囲】
【請求項１】
画像形成に関する複数の機能選択項目を複数の設定画面に分けて配置するとともに、前記複数の設定画面を切り換えて表示する表示制御装置において、
前記複数の設定画面のうち所定の設定画面以外の他の設定画面から配置変更の対象として前記機能選択項目を選択する選択手段と、
前記選択手段によって選択された前記機能選択項目を前記所定の設定画面に配置変更する制御手段とを備え、
前記所定の設定画面上における前記機能選択項目と前記他の設定画面上における前記機能選択項目とで選択態様を異ならせたことを特徴とする表示制御装置。
【請求項２】
前記所定の設定画面に配置変更された前記機能選択項目は、詳細設定のための画面を開くことなく選択が可能なことを特徴とする請求項１記載の表示制御装置。
【請求項３】
前記制御手段によって前記所定の設定画面に配置変更された前記機能選択項目は、選択操作毎にその選択内容が変化することを特徴とする請求項２記載の表示制御装置。
【請求項４】
前記機能選択項目は、対応する機能の選択状態と非選択状態の２択機能を有することを特徴とする請求項３記載の表示制御装置。
【請求項５】
前記機能選択項目は、選択状態と非選択状態とで形状、色等により表示態様が異なることを特徴とする請求項４記載の表示制御装置。
【請求項６】
前記機能選択項目は、３択以上の機能を有することを特徴とする請求項３記載の表示制御装置。
【発明の詳細な説明】
【技術分野】
【０００１】
本発明は、複数の設定画面を切り換えて表示する複写機，プリンタ，複合機等の画像形成装置における表示制御装置に関し、特に、ユーザが頻繁に使用する機能を少ない操作回数で選択できるようにするカスタマイズ機能を備えた表示制御装置に関する。
【背景技術】
【０００２】
近年の多機能化に伴い、画像形成装置では、一つの設定画面内に全ての機能選択項目を配置できなくなっており、そのために機能選択項目を複数の設定画面に分けて配置し、それらの設定画面を切り換えて操作パネルに表示している。
【０００３】
図７〜図９は、その表示画面の一例を示す。表示画面１００には、図７に示すように、最初に表示される基本設定画面１１０ａと、基本設定画面１００ａから切り替えて表示される他の設定画面を選択するための複数のタブキー１２０ａ〜１２０ｅが表示されている。例えば、ユーザが「読み取り方法」のタブキー１２０ｃを選択すると、図８に示すように、表示画面１００には「読み取り方法」に属する機能選択ボタン１３１ａ〜１３１ｆが配置された設定画面１１０ｃが表示される。ここで、ユーザが「ミックスサイズ原稿送り」の機能選択ボタン１３１ｄを選択すると、図９に示すように、それに関連するポップアップ画面１１１が開き、「ミックスサイズ原稿送り」の機能を選択するか否かの「する」ボタン１１２ａと「しない」ボタン１１２ｂが表示され、さらに機能説明１１３も表示される。「する」ボタン１１２ａを選択することによって「ミックスサイズ原稿送り」の機能が設定され、その後、スタートキーの押下によって「ミックスサイズ原稿送り」の機能が実行される。
【０００４】
しかし、ユーザによっては使用頻度の高い機能選択項目が、基本画面以外の設定画面に配置されている場合もあり、この場合、順次画面を切り換えて選択操作を繰り返さなければならず、操作性が悪くなる。
【０００５】
この問題に対処してなされた従来の画像形成装置として、設定画面内の機能選択ボタンの配置に自由度を持たせ、ユーザがよく使用する機能選択ボタンを基本設定画面に配置するカスタマイズ機能を持ったものがある（例えば、特許文献１参照。）。
【０００６】
この従来の画像形成装置によれば、カスタマイズにより機能選択ボタンを基本設定画面に配置した場合も、機能選択動作は、前述したのと同様に、機能選択ボタンを押下し、ポップアップ画面を開き、パラメータを選択している。機能の中には、複数のパラメータを有するものもあれば、「する」、「しない」の２択機能を有するものもあるが、操作に一貫性を持たせるため、あるいは機能や操作の説明を表示するために、全ての機能はポップアップ画面を開いて選択するようにしている。
【特許文献１】特開２００２−２７８３７５号公報（［請求項１］、段落［００６７］）
【発明の開示】
【発明が解決しようとする課題】
【０００７】
しかし、従来の画像形成装置によると、不特定多数のユーザに対しては、操作の一貫性も機能説明も重要であるが、ユーザが頻繁に使用すると判断して基本画面等の所望の画面に配置した２択機能を、「する」または「しない」を選択させるためにポップアップ画面を開くことは操作性の観点からみて無駄である。
【０００８】
従って、本発明の目的は、ユーザが頻繁に使用する機能を少ない操作回数で選択できるようにするカスタマイズ機能を備えた表示制御装置を提供することにある。
【課題を解決するための手段】
【０００９】
本発明は、上記目的を達成するため、画像形成に関する複数の機能選択項目を複数の設定画面に分けて配置するとともに、前記複数の設定画面を切り換えて表示する表示制御装置において、前記複数の設定画面のうち所定の設定画面以外の他の設定画面から配置変更の対象として前記機能選択項目を選択する選択手段と、前記選択手段によって選択された前記機能選択項目を前記所定の設定画面に配置変更する制御手段とを備え、前記所定の設定画面上における前記機能選択項目と前記他の設定画面上における前記機能選択項目とで選択態様を異ならせたことを特徴とする表示制御装置を提供する。
【発明の効果】
【００１０】
本発明の表示制御装置によれば、カスタマイズによりユーザが頻繁に使用する機能選択項目を所定の画面として例えば基本画面のようなユーザが良く使用する設定画面に配置することができ、しかもその機能選択項目はその設定画面上で選択操作できるため、ユーザが頻繁に使用する機能を少ない操作回数で選択することができる。
【発明を実施するための最良の形態】
【００１１】
図１は、本発明の第１の実施の形態に係る表示制御装置が適用された画像形成装置を示す。この画像形成装置１は、この装置１全体を制御するＣＰＵ２を有し、このＣＰＵ２のバス２ａに、ＣＰＵ２が実行するカスタマイズプログラム３０，機能実行プログラム３１等の制御プログラムを記憶するＲＯＭ３ａと、設定画面データ等の各種のデータを記憶するＲＡＭ３ｂと、原稿から画像を光学的に読み取るスキャナ部４と、画像を用紙に印字する印字部５と、ＬＣＤ(Liquid Crystal Display)１０ａへの表示を制御するＬＣＤコントローラ６と、タッチパネル１０ｂおよびスタートキー等のハードキー１０ｃからの入力を制御するキー入力コントローラ７と、画像を公衆回線を介して送受信するファックス通信部８と、画像をＬＡＮ等のネットワークを介して送受信するネットワークインタフェース（Ｉ／Ｆ）９とを各々接続している。
【００１２】
タッチパネル１０ｂは、ＬＣＤ１０ａ上に重畳配置されて表示部１１を構成し、表示部１１とハードキー１０ｃは、操作パネル１０上に配置されている。タッチパネル１０ｂは、指等で押下することにより、その押下された位置のＸＹ座標データがキー入力信号としてキー入力コントローラ７からＣＰＵ２に出力されるようになっている。
【００１３】
図２は、ＬＣＤ１０ａの表示画面に表示された基本設定画面を示す。この表示画面１００には、第１層の基本設定画面１１０ａの他に、第２層以降の設定画面を選択するための複数のタブキー１２０ａ〜１２０ｅも表示される。この基本設定画面１１０ａは、コピー，ファックス，スキャン等の複数のサービスが表示されたメニュー画面から「コピー」サービスを選択することにより表示される。基本設定画面１１０ａには、カラーモード，用紙選択等の機能選択ボタン１３０ａ〜１３０ｃ毎に複数のパラメータ１４０が配置されている。また、基本設定画面１１０ａには、カスタマイズによって他の設定画面に配置されていた機能選択項目としての機能選択ボタン１５０ａ，１５０ｂ，１５０ｃが配置変更されている。
【００１４】
カスタマイズによって設定された機能選択ボタン１５０ａ，１５０ｂ，１５０ｃには、２択機能を有するものと、パラメータの選択を必要とするものとがある。「両面片面選択」および「仕分け」で示す機能選択ボタン１５０ａ，１５０ｂは、パラメータの選択を必要とするものの一例であり、ボタンイメージ１５１、機能名称１５２、パラメータ１５３、およびポップアップ画面が存在することを示すポップアップ機能マーク１５４からなる。「ミックスサイズ原稿送り」で示す機能選択ボタン１５０ｃは、ボタンイメージ１５１および機能名称１５２からなる。この機能選択ボタン１５０ｃは、トグルスイッチのようになっており、一度押すと１５０ｃ’に示すように反転表示による選択状態となり、再度押すと元の非選択状態に戻る。
【００１５】
次に、この実施の形態に係る画像形成装置１の動作を、機能選択ボタンを配置変更するカスタマイズの動作とカスタマイズ後の動作に分けて説明する。
（１）カスタマイズの動作
カスタマイズの動作について、図３および図４を参照して説明する。図３は、ボタン位置の登録画面を示し、図４は、配置変更する機能選択ボタンの選択画面を示す。
【００１６】
ユーザが図示しないメニュー画面からカスタマイズ機能を選択すると、ＣＰＵ２は、ＲＯＭ３ａに格納されたカスタマイズプログラム３０に基づいて、基本設定画面１００ａへの機能選択ボタンの配置処理を行う。すなわち、ＣＰＵ２は、ＬＣＤコントローラ６を制御して図３に示す登録画面１６０をＬＣＤ１０ａの表示画面１００に表示する。ここでユーザは、タッチパネル１０ｂを通して登録画面１６０のうちいずれかのボタン位置１６１ａ，１６１ｂ，１６１ｃを押下し、「決定」キー１０２を押下すると、ＣＰＵ２は、ユーザにより押下されたボタン位置１６１ａ，１６１ｂ，１６１ｃを確定し、ＬＣＤコントローラ６を制御して図４に示す選択画面１７０をＬＣＤ１０ａの表示画面１００に表示する。
【００１７】
ユーザは、図４に示す選択画面１７０に配置された登録用ボタン１７１のうち基本設定画面１１０ａに配置する登録用ボタン１７１を選択すると、ＣＰＵ２は、選択された登録用ボタン１７１に対応する機能選択ボタン１５０を基本設定画面１１０ａの既に確定したボタン位置１６１ａ，１６１ｂ，１６１ｃに配置するようにＲＡＭ３ｂに記憶されている設定画面データを書き換える。
【００１８】
例えば、ユーザが、図３に示す登録画面１６０でボタン位置１６１ａを指定し、図４に示す選択画面１７０で「両面片面選択」の登録用ボタン１７１ａを選択して「決定」キー１０２を押下すると、「両面片面選択」ボタン１７１ａが配置変更の対象として確定し、図２に示すように、基本設定画面１１０ａのボタン位置１６１ａに対応する位置に「両面片面選択」の機能選択ボタン１５０ａが表示される。これと同様に、ボタン位置１６１ｂを指定し、「仕分け」の登録用ボタン１７１ｂを選択すると、基本設定画面１１０ａのボタン位置１６１ｂに対応する位置に「仕分け」の機能選択ボタン１５０ｂが表示される。また、ボタン位置１６１ｃを指定し、「ミックスサイズ原稿送り」の登録用ボタン１７１ｃを選択すると、基本設定画面１１０ａのボタン位置１６１ｃに対応する位置に「ミックスサイズ原稿送り」の機能選択ボタン１５０ｃが表示される。以上のようにして機能選択ボタンの配置位置がカスタマイズされる。なお、図４において、選択画面１７０が複数頁に渡っている場合は、アップキー１７２ａあるいはダウンキー１７２ｂを用いて選択画面１７０を切り換えて行う。
【００１９】
（２）カスタマイズ後の動作
ここでは、図２に示すように基本設定画面１１０ａに３つの機能選択ボタン１５０ａ，１５０ｂ，１５０ｃがカスタマイズにより配置されているとする。ユーザが「両面片面選択」の機能選択ボタン１５０ａあるいは「仕分け」の機能選択ボタン１５０ｂを選択すると、表示画面１００にポップアップ画面が表示され、パラメータを選択することで設定が完了する。ユーザが「ミックスサイズ原稿送り」の機能選択ボタン１５０ｃを選択した場合は、ボタン１５０ｃ’が反転して選択状態となる。その後、ハードキー１０ｃのスタートキーを押下すると、ＣＰＵ２は、ＲＯＭ３ａに記憶されている機能実行プログラムに基づいて選択された機能を本装置１の各部を制御して実行する。
【００２０】
この第１の実施の形態によれば、カスタマイズによりユーザが頻繁に使用する機能選択ボタンを第１層の基本設定画面１１０ａに配置することができ、しかもその機能選択ボタンが２択機能を有している場合には、基本設定画面１１０ａ上で選択操作できるため、ユーザが頻繁に使用する機能を少ない操作回数で選択することができる。また、カスタマイズにより基本設定画面１１０ａに配置した機能選択ボタンがポップアップ画面を開く必要のあるものであっても、少ない操作回数でユーザが頻繁に使用する機能を選択することができる。
【００２１】
図５は、本発明の第２の実施の形態に係る機能選択ボタンを示す。この機能選択ボタンは、３択以上の機能を有するものであり、押下する度に選択内容がサイクリックに変化するようにしたものである。図５（ａ）に示す「両面片面選択」の機能選択ボタン１５０ａは、押下する度に図５（ｂ）に示すように、「片面→片面」、「片面→両面」、「両面→片面」、「両面→両面」、「片面→片面」のようにパラメータが変化するように構成されている。なお、この場合、パラメータの切り換えと選択とを押下時間の違いによって区別してもよい。また、確定キー等の他のキーを押下して選択を行ってもよい。この構成によれば、１つのボタン位置で３択以上の機能を選択することが可能となるので、カスタマイズにより基本設定画面に多くの機能選択ボタンを配置することができる。
【００２２】
図６は、本発明の第３の実施の形態に係る機能選択ボタンを示す。この機能選択ボタンは、対応する機能の選択状態と非選択状態の２択機能を有するものであり、選択状態と非選択状態とで形状，色等により表示態様が異なるようにしたものである。同図に示す機能選択ボタン１５０ｃは、ボタンイメージを立体的に表示し、機能選択ボタン１５０ｃを選択していないときは、突出高さが高く見えるように表現し、押下して選択したときは、１５０ｃ’で示すように突出高さが低く見えるように表現している。この構成によれば、機能選択ボタンの選択、非選択の区別が視覚的に容易となる。
【００２３】
なお、本発明は、上記実施の形態に限定されず、その要旨を逸脱しない範囲内において種々に変形実施が可能である。例えば、カスタマイズによって配置変更された機能選択ボタンの選択状態は、形状，色，文字，模様等の変化によって表現してもよい。
【００２４】
また、カスタマイズによって基本設定画面に配置する機能選択ボタンの位置の指定は、行、列等の位置情報を入力することによって行ってもよい。
【００２５】
また、基本設定画面上で選択操作する態様として、１つのボタン位置で２択あるいは３択以上を有する機能選択ボタンについて説明したが、「する」ボタン、「しない」ボタンのようにそれぞれのボタンを並列的に配置してもよい。
【００２６】
また、ポップアップ機能を有していない機能選択ボタンをユーザの選択によりポップアップ機能付きのものに変更できるようにしてもよい。これにより、ユーザに応じて詳細設定を行うこともできる。
【００２７】
また、基本設定画面に配置変更した機能選択ボタンは、配置変更後も元の設定画面に配置されたままでもよく、また元の設定画面から消去してもよい。また、基本設定画面は複数ページからなるものでもよい。
【００２８】
また、上記実施の形態では、複数の設定画面を階層的に配置した場合について説明したが、本発明はこれに限定されず、親に対する子、子に対する親がそれぞれ複数存在するように構成された網構造で配置されたものでもよく、他の構造でもよい。
【図面の簡単な説明】
【００２９】
【図１】本発明の第１の実施の形態に係る表示制御装置が適用された画像形成装置のブロック図である。
【図２】本発明の第１の実施の形態に係る画像形成装置の表示画面に表示された設定画面を示す図である。
【図３】本発明の第１の実施の形態に係る画像形成装置の表示画面に表示された登録画面を示す図である。
【図４】本発明の第１の実施の形態に係る画像形成装置の表示画面に表示された選択画面を示す図である。
【図５】（ａ）は、本発明の第２の実施の形態に係る機能選択ボタンを示す図、（ｂ）は、その機能選択ボタンの変化を示す図である。
【図６】本発明の第３の実施の形態に係る機能選択ボタンを示す図である。
【図７】従来の画像形成装置の表示画面に表示された基本設定画面を示す図である。
【図８】従来の画像形成装置の表示画面に表示された設定画面を示す図である。
【図９】従来の画像形成装置の表示画面に表示されたポップアップ画面を示す図である。
【符号の説明】
【００３０】
１  画像形成装置
２  ＣＰＵ
２ａ  バス
３ａ  ＲＯＭ
３ｂ  ＲＡＭ
４  スキャナ部
５  印字部
６  ＬＣＤコントローラ
７  キー入力コントローラ
１０  操作パネル
１０ａ  ＬＣＤ
１０ｂ  タッチパネル
１０ｃ  ハードキー
１１  表示部
３０  カスタマイズプログラム
３１  機能実行プログラム
１００  表示画面
１０１  イメージ領域
１０２  「決定」キー
１０３  「取り消し」キー
１１０ａ  基本設定画面
１１０ｃ  設定画面
１１２ａ  「する」ボタン
１１２ｂ  「しない」ボタン
１１３  機能説明
１２０ａ〜１２０ｅ  タブキー
１３０ａ〜１３０ｃ  機能選択ボタン
１３１ａ〜１３１ｆ  機能選択ボタン
１４０  パラメータ
１５０ａ〜１５０ｃ，１５０ｃ’  機能選択ボタン
１５１  ボタンイメージ
１５２  機能名称
１５３  パラメータ
１５４  ポップアップ機能マーク
１６０  登録画面
１６１ａ〜１６１ｃ  ボタン位置
１７０  選択画面
１７１，１７１ａ，１７１ｂ，１７１ｃ  登録用ボタン
１７２ａ  アップキー
１７２ｂ  ダウンキー
【図１】
2005195816.tif 000003
【図２】
2005195816.tif 000004
【図３】
2005195816.tif 000005
【図４】
2005195816.tif 000006
【図５】
2005195816.tif 000007
【図６】
2005195816.tif 000008
【図７】
2005195816.tif 000009
【図８】
2005195816.tif 000010
【図９】
2005195816.tif 000011